(57)【特許請求の範囲】
【請求項１】
表示される映像のデータを受信するデータ受信部と、
ユーザの色弱特性情報を受信し、前記ユーザの色弱特性情報に対応して、一般駆動モードまたは色弱補正駆動モードのうちのいずれか一つに駆動モードを決定する駆動モード決定部と、
前記ユーザの色弱特性情報に対応して、前記データを変換することにより、補正データを生成するデータ変換部と、
前記一般駆動モードで使用される基準階調線、及び前記色弱補正駆動モードで使用される１以上の補正階調線を保存するメモリ部と、
前記基準階調線、または前記１以上の補正階調線のうち、前記ユーザの色弱特性情報に対応する階調線を選択し、前記選択された階調線に基づいて、前記データまたは前記補正データに対応するデータ信号を出力するデータ信号出力部と、
前記データ信号を受信して、前記データ信号に対応する輝度で発光する発光素子と、を含み、
前記データは、ＲＧＢデータを含み、
前記データ変換部は、前記ＲＧＢデータを変換するための１以上の補正行列を保存し、前記１以上の補正行列のうち、前記ユーザの色弱特性情報に対応する補正行列と、下記数式（１）とを利用して、前記ＲＧＢデータから、前記補正データとしての補正ＲＧＢデータを生成し、
【数１】
0006592312.tif 000019
（ここで、Ｘは、補正係数を意味し、Ｔは、補正行列を意味し、Ｒｉ、Ｇｉ、Ｂｉは、前記ＲＧＢデータを意味し、Ｒｏ、Ｇｏ、Ｂｏは、前記補正ＲＧＢデータを意味する。）
前記補正係数Ｘは、下記数式（２）を利用して算出されることを特徴とする表示装置。
【数２】
0006592312.tif 000020
（ここで、Ｌｅｘｔは、前記基準階調線の最大輝度値を意味し、Ｌｍａｘは、前記補正階調線の最大輝度値を意味し、γは、ガンマ値を意味する。）
【請求項２】
前記補正階調線は、同一階調において、前記基準階調線よりもさらに高い輝度値を有することを特徴とする請求項１に記載の表示装置。
【請求項３】
前記補正行列は、Ｄａｌｔｏｎｉｚｅ行列の逆行列であることを特徴とする請求項１に記載の表示装置。
【請求項４】
前記色弱特性情報は、赤色弱であるか緑色弱であるかということ、及び色弱の程度に係わる情報を含むことを特徴とする請求項１に記載の表示装置。
【請求項５】
表示される映像のデータを保存するデータ保存部と、
ユーザの色弱特性情報を受信し、前記ユーザの色弱特性情報に対応し、一般駆動モードまたは色弱補正駆動モードのうちのいずれか一つに駆動モードを決定する駆動モード決定部と、
前記ユーザの色弱特性情報に対応し、前記データを変換して補正データを生成し、前記補正データを出力する補正データ出力部と、
前記一般駆動モードで使用される基準階調線、及び前記色弱補正駆動モードで使用される１以上の補正階調線のうち、前記ユーザの色弱特性情報に対応する階調線を選択させる階調線選択信号を出力する階調線選択信号出力部と、を含み、
前記データは、ＲＧＢデータを含み、
前記補正データ出力部は、前記ＲＧＢデータを変換するための複数の補正行列を保存し、前記複数の補正行列のうち、前記ユーザの色弱特性情報に対応する補正行列と、下記数式（１）とを利用して、前記ＲＧＢデータから、前記補正データとしての補正ＲＧＢデータを生成し、
【数１】
0006592312.tif 000021
（ここで、Ｘは、補正係数を意味し、Ｔは、補正行列を意味し、Ｒｉ、Ｇｉ、Ｂｉは、前記ＲＧＢデータを意味し、Ｒｏ、Ｇｏ、Ｂｏは、前記補正ＲＧＢデータを意味する。）
前記補正係数Ｘは、下記数式（２）を利用して算出されることを特徴とする表示制御装置。
【数２】
0006592312.tif 000022
（ここで、Ｌｅｘｔは、前記基準階調線の最大輝度値を意味し、Ｌｍａｘは、前記補正階調線の最大輝度値を意味し、γは、ガンマ値を意味する。）
【請求項６】
表示される映像のデータを準備する段階と、
ユーザの色弱特性情報を受信し、前記ユーザの色弱特性情報に対応して、一般駆動モードまたは色弱補正駆動モードのうちのいずれか一つに駆動モードを決定する段階と、
前記色弱補正駆動モードに決定されると、前記ユーザの色弱特性情報に対応して、前記データを変換して補正データを生成する段階と、
前記一般駆動モードで使用される基準階調線と、前記色弱補正駆動モードで使用される１以上の補正階調線とを含む複数の階調線のうち、前記ユーザの色弱特性情報に対応する１つの階調線を選択し、前記選択された階調線に基づいて、前記データまたは前記補正データに対応するデータ信号を出力する段階と、
前記データ信号に対応する輝度で発光する発光素子を利用して、一般映像または色弱用映像を表示する段階と、を含み、
前記データは、ＲＧＢデータを含み、
前記補正データを生成する段階では、前記ＲＧＢデータを変換するための複数の補正行列のうち、前記ユーザの色弱特性情報に対応する補正行列と、下記数式（３）とを利用して、前記ＲＧＢデータから、前記補正データとしての補正ＲＧＢデータを生成し、
【数３】
0006592312.tif 000023
（ここで、Ｘは、補正係数を意味し、Ｔは、補正行列を意味し、Ｒｉ、Ｇｉ、Ｂｉは、前記ＲＧＢデータを意味し、Ｒｏ、Ｇｏ、Ｂｏは、前記補正ＲＧＢデータを意味する。）
前記補正係数Ｘは、下記数式（４）を利用して算出されることを特徴とする表示方法。
【数４】
0006592312.tif 000024
（ここで、Ｌｅｘｔは、前記基準階調線の最大輝度値を意味し、Ｌｍａｘは、前記補正階調線の最大輝度値を意味し、γは、ガンマ値を意味する。）
【請求項７】
前記補正階調線は、同一階調において、前記基準階調線よりもさらに高い輝度値を有することを特徴とする請求項６に記載の表示方法。
【請求項８】
前記補正行列は、Ｄａｌｔｏｎｉｚｅ行列の逆行列であることを特徴とする請求項６に記載の表示方法。
【発明の詳細な説明】
【技術分野】
【０００１】
本発明は、表示装置、表示制御装置及び表示方法に係り、さらに具体的には、自発光素子を利用する表示装置、表示制御装置及び表示方法に関する。
【背景技術】
【０００２】
一般的に、色覚異常（color blindness）とは、網膜円錐細胞の先天的機能異常、または後天的な網膜円錐細胞の損傷や視覚経路の異常によって、色を正常に区分することができない現象をいう。三色者（正常人）が感じる色は、３種単色光（赤色、緑色、青色）の混合によって表現され、赤色、緑色、青色の３つの円錐細胞のうち１つの機能が不完全であることを色弱、２個の円錐細胞しかないことを色盲という。
【０００３】
赤色弱の場合には、赤色と緑色との区別能が大きく低下し、正常人より赤色をさらに暗く認知し、緑色弱の場合には、赤色と緑色との区別能が若干低下するが、明るさに対する認知は、三色者と同一であると知られている。そして、完全色盲（complete achromatopsia）は、全ての円錐細胞が非正常的であり、色相の識別能がない状態をいう。
【０００４】
色弱の程度が軽微な場合には、色弱者に見える色相を変換し、赤色と緑色との区別の一助とし、かような方法を、イメージまたは映像を表示する表示装置にも適用する研究が続けられている。
【発明の概要】
【発明が解決しようとする課題】
【０００５】
本発明が解決しようとする課題は、自発光素子を利用して、表示画面の輝度を低下させずに、色弱者のための映像を表示することができる表示装置、表示制御装置及び表示方法を提供することである。
【課題を解決するための手段】
【０００６】
本発明の一実施形態による表示装置は、表示される映像のデータを受信するデータ受信部、ユーザの色弱特性情報を受信し、前記ユーザの色弱特性情報に対応し、一般駆動モードまたは色弱補正駆動モードのうちいずれか一つに駆動モードを決定する駆動モード決定部、前記ユーザの色弱特性情報に対応し、前記データを変換することにより、補正データを生成するデータ変換部、前記一般駆動モードで使用される基準階調線、及び前記色弱補正駆動モードで使用される１以上の補正階調線を保存するメモリ部、前記基準階調線、または前記１以上の補正階調線のうち、前記ユーザの色弱特性情報に対応する階調線を選択し、前記選択された階調線に基づいて、前記データまたは前記補正データに対応するデータ信号を出力するデータ信号出力部、及び前記データ信号を受信し、前記データ信号に対応する輝度で発光する発光素子を含む。
【０００７】
また、前記補正階調線は、同一階調において、前記基準階調線よりさらに高い輝度値を有し、前記ＲＧＢデータ変換部は、前記データを変換するための１以上の補正行列を保存し、前記１以上の補正行列のうち、前記ユーザの色弱特性情報に対応する補正行列を利用して、前記データから、前記補正データを生成することができる。
【０００８】
また、前記補正行列は、Daltonize行列の逆行列でもあり、前記データは、ＲＧＢデータを含んでもよい。また、前記データ変換部は、下記数式を利用して、前記ＲＧＢデータから、補正ＲＧＢデータを生成することができる。
【０００９】
【数１】
0006592312.tif 000002
【００１０】
ここで、Ｘは、補正係数を意味し、Ｔは、補正行列を意味し、Ｒｉ、Ｇｉ、Ｂｉは、前記ＲＧＢデータを意味し、Ｒｏ、Ｇｏ、Ｂｏは、前記補正ＲＧＢデータを意味する。
また、前記補正係数Ｘは、下記数式を利用して算出される。
【００１１】
【数２】
0006592312.tif 000003
【００１２】
ここで、Ｌｅｘｔは、前記基準階調線の最大輝度値を意味し、Ｌｍａｘは、前記補正階調線の最大輝度値を意味し、γは、ガンマ値を意味する。また、前記色弱特性情報は、赤色弱であるか緑色弱であるかということ、及び色弱の程度に係わる情報を含んでもよい。
【００１３】
一方、本発明の一実施形態による表示制御装置は、表示される映像のデータを保存するデータ保存部、ユーザの色弱特性情報を受信し、前記ユーザの色弱特性情報に対応し、一般駆動モードまたは色弱補正駆動モードのうちいずれか一つに駆動モードを決定する駆動モード決定部、前記ユーザの色弱特性情報に対応し、前記データを変換して補正データを生成し、前記補正データを出力する補正データ出力部、及び前記一般駆動モードで使用される基準階調線、及び前記色弱補正駆動モードで使用される１以上の補正階調線のうち、前記ユーザの色弱特性情報に対応する階調線を選択させる階調線選択信号を出力する階調線選択信号出力部を含む。
【００１４】
また、前記補正データ出力部は、前記データを変換するための複数の補正行列を保存し、前記複数の補正行列のうち、前記ユーザの色弱特性情報に対応する補正行列を利用して、前記データから、前記補正データを生成することができる。
【００１５】
一方、本発明の他の実施形態による表示装置は、前記表示制御装置、及び前記表示制御装置から、補正データ及び階調線選択信号を受信し、前記階調線選択信号によって、前記補正データに対応する映像を表示する表示パネルを含み、前記表示パネルは、前記一般駆動モードで使用される基準階調線、及び前記色弱補正駆動モードで使用される１以上の補正階調線を保存するメモリ部、前記基準階調線、または前記１以上の補正階調線のうち、前記階調線選択信号による階調線を選択し、前記選択された階調線に基づいて、前記補正データに対応するデータ信号を出力するデータ信号出力部、及び前記データ信号を受信し、前記データ信号に対応する輝度で発光する発光素子を含む。
【００１６】
一方、本発明のさらに他の実施形態による表示装置は、表示される映像のデータを受信するデータ受信部、Daltonize行列の逆行列を基に決定された複数の補正行列を保存する補正行列保存部、ユーザの色弱特性情報を受信し、前記複数の補正行列のうち、前記ユーザの色弱特性情報に対応して選択された補正行列を利用して、前記データを変換することにより、補正データを生成する補正データ生成部、高輝度モード階調線を利用して、前記補正データに対応するデータ信号を出力するデータ信号出力部、及び前記データ信号を受信し、前記データ信号に対応する輝度で発光する発光素子を含む。
また、前記データは、ＲＧＢデータを含んでもよい。また、前記データ変換部は、下記数式を利用して、前記ＲＧＢデータを変換することができる。
【００１７】
【数３】
0006592312.tif 000004
【００１８】
ここで、Ｘは、補正係数を意味し、Ｔは、前記色弱特性情報によるDaltonize行列の逆行列を意味し、Ｒｉ、Ｇｉ、Ｂｉは、前記ＲＧＢデータを意味し、Ｒｏ、Ｇｏ、Ｂｏは、補正ＲＧＢデータを意味する。
また、前記補正係数Ｘは、下記数式を利用して算出される。
【００１９】
【数４】
0006592312.tif 000005
【００２０】
ここで、Ｌｅｘｔは、前記色弱特性情報による最大輝度値を意味し、Ｌｍａｘは、前記高輝度モード階調線の最大輝度値を意味し、γは、ガンマ値を意味する。
【００２１】
一方、本発明の一実施形態による表示方法は、表示される映像のデータを準備する段階、ユーザの色弱特性情報を受信し、前記ユーザの色弱特性情報に対応し、一般駆動モードまたは色弱補正モードのうちいずれか一つに駆動モードを決定する段階、前記色弱補正駆動モードに決定されれば、前記ユーザの色弱特性情報に対応し、前記データを変換して補正データを生成する段階、前記一般駆動モードで使用される基準階調線と、前記色弱補正駆動モードで使用される１以上の補正階調線とを含む複数の階調線のうち、前記ユーザの色弱特性情報に対応する１つの階調線を選択し、前記選択された階調線に基づいて、前記データまたは前記補正データに対応するデータ信号を出力する段階、及び前記データ信号に対応する輝度で発光する発光素子を利用して、一般映像または色弱用映像を表示する段階を含む。
【００２２】
また、前記補正階調線は、同一階調において、前記基準階調線よりさらに高い輝度値を有し、前記補正データは、前記データを変換するための複数の補正行列のうち、前記ユーザの色弱特性情報に対応する補正行列を利用して、前記ＲＧＢデータから生成される。また、前記データは、ＲＧＢデータを含んでもよい。また、補正ＲＧＢデータは、下記数式を利用して、前記ＲＧＢデータから生成される。
【００２３】
【数５】
0006592312.tif 000006
【００２４】
ここで、Ｘは、補正係数を意味し、Ｔは、補正行列を意味し、Ｒｉ、Ｇｉ、Ｂｉは、前記ＲＧＢデータを意味し、Ｒｏ、Ｇｏ、Ｂｏは、前記補正ＲＧＢデータを意味する。また、前記補正係数Ｘは、下記数式を利用して算出される。
【００２５】
【数６】
0006592312.tif 000007
【００２６】
ここで、Ｌｅｘｔは、前記基準階調線の最大輝度値を意味し、Ｌｍａｘは、前記補正階調線の最大輝度値を意味し、γは、ガンマ値を意味する。
【００２７】
また、前記補正行列は、Daltonize行列の逆行列でもあり、前記色弱特性情報は、赤色弱であるか緑色弱であるかということ、及び色弱の程度に係わる情報を含んでもよい。
【発明の効果】
【００２８】
本発明によれば、自発光素子を利用して、表示画面の輝度を低下させずに、色弱者のための映像を表示することができる表示装置、表示制御装置及び表示方法を提供することができる。
【図面の簡単な説明】
【００２９】
【図１】本発明の一実施形態による表示装置の構成を概略的に示す図である。
【図２】本発明の一実施形態による補正行列を示す図である。
【図３】本発明の一実施形態による基準階調線と補正階調線との階調による輝度特性を示すグラフである。
【図４】本発明の一実施形態による表示制御装置の構成を概略的に示す図である。
【図５】本発明の他の実施形態による表示装置の構成を概略的に示す図である。
【図６】本発明のさらに他の実施形態による表示装置の構成を概略的に示す図である。
【図７】本発明のさらに他の実施形態による表示装置で使用される高輝度モード階調線を示すグラフである。
【図８】本発明の一実施形態による表示方法を示すフローチャートである。
【発明を実施するための形態】
【００３０】
本発明は、多様な変換を加え、さまざまな実施形態を有することができるが、特性実施形態は、図面を例示し、詳細な説明で詳細に説明する。本発明の効果、特徴、及びそれらを達成する方法は、図面と共に詳細に説明されている実施形態を参照すれば明確になるであろう。しかし、本発明は、以下で開示される実施形態に限定されるものではなく、多様な形態で具現される。
【００３１】
以下、添付された図面を参照し、本発明の多様な実施形態による色変換表示装置及び色変換表示方法について説明する。図面を参照して説明するとき、同一であるか、あるいは対応する構成要素は、同一図面符号を付し、それに係わる重複説明は省略する。
【００３２】
ある構成要素が他の構成要素に「連結されて」いるか、または「接続されて」いると言及されたときには、その他の構成要素に直接連結されているか、または接続されていることもあるが、中間に他の構成要素が存在することもあると理解されなければならない。一方、ある構成要素が他の構成要素に「直接連結されて」いるか、または「直接接続されて」いると言及されたときには、中間に他の構成要素が存在しないと理解されなければならない。構成要素との関係を説明する他の表現、すなわち、「〜間に」、「すぐ〜間に」または「〜に直接隣接する」というようなものも、同様に解釈されなければならない。
【００３３】
以下の実施形態において、第１、第２のような用語は、限定的な意味ではなく、１つの構成要素を他の構成要素と区別する目的で使用される。単数の表現は、文脈上明確に取り立てて意味しない限り、複数の表現を意味する。「含む」または「有する」というような用語は、明細書上に記載された特徴または構成要素が存在するということを意味するものであり、１以上の他の特徴または構成要素が付加される可能性をあらかじめ排除するものではない。
【００３４】
図１は、本発明の一実施形態による表示装置の構成を概略的に示す図面である。
図１を参照すれば、本発明の一実施形態による表示装置１００は、データ受信部１１０、駆動モード決定部１２０、データ変換部１３０、データ信号出力部１４０、発光素子１５０及びメモリ部１６０を含む。
前記データ受信部１１０は、表示される映像のデータを受信する役割を行い、前記データは、ＲＧＢデータを含んでもよい。前記ＲＧＢデータは、ＲＧＢ色座標でもある。
すなわち、前記データ受信部１１０は、表示される映像の原本データを受信すると理解される。
【００３５】
前記駆動モード決定部１２０は、ユーザの色弱特性情報を受信し、前記ユーザの色弱特性情報に対応し、一般駆動モードまたは色弱補正駆動モードのうちいずれか一つに駆動モードを決定する。
【００３６】
色弱者の場合、いかなる色でも感じることはできるが、その感じが鈍く、正常人と比較すれば、色感覚の刺激閾値が高い。色弱は、赤緑色弱、青黄色弱、全色弱の３種に分類されており、赤緑色弱は、赤色と緑色との感覚が鈍く、この２色を混同しやすい。
【００３７】
色弱者は、色彩を見るとき、照明が弱く、彩度が低く、大きさが小さいほど、色を正確に判断することができない。赤色弱（protanomaly）である場合には、赤色と緑色との区別能が大きく低下し、正常人より赤色をさらに暗く認知し、緑色弱（deuteranomaly）は、赤色と緑色との区別能が若干低下するが、明るさに対する認知は、正常人と同等である。
一方、全色盲（complete achromatopsia）は、全ての円錐細胞が非正常的であり、色相の識別能がない状態である。
【００３８】
本発明による表示装置、表示制御装置及び表示方法は、色弱者のための表示装置、表示制御装置及び表示方法を提供することを目的にするが、色弱者が正常な色を認知することができるように、原本映像データに適切な変換を加えることを特徴とする。
特に、本明細書では、大きく見て、赤色弱及び緑色弱である場合を例として説明する。
【００３９】
前記表示装置１００は、前記駆動モード決定部１２０で受信した前記ユーザの色弱特性情報によって、一般駆動モードまたは色弱補正駆動モードでの駆動を決定する。
すなわち、前記ユーザが、三色者（正常人）である場合には、一般駆動モードに決定し、色弱である場合には、色弱補正駆動モードに決定することができる。
一方、前記データ変換部１３０は、前記ユーザの色弱特性情報に対応し、前記データを変換することにより、補正データを生成する。
【００４０】
前記駆動モード決定部１２０において、色弱補正駆動モードに駆動が決定されれば、前記データ変換部１３０は、前記ユーザの色弱特性情報を反映し、前記データ受信部１１０で受信したデータを変換する。
【００４１】
また、前記メモリ部１６０は、一般駆動モードで使用される基準階調線、及び前記色弱補正駆動モードで使用される１以上の補正階調線を保存し、前記データ信号出力部１４０は、前記基準階調線、または前記１以上の補正階調線のうち、前記ユーザの色弱特性情報に対応する階調線を選択し、前記選択された階調線に基づいて、前記データまたは補正データに対応するデータ信号を出力する。
【００４２】
従って、前記ユーザの色弱特性情報を分析した結果、前記ユーザが三色者（正常人）である場合には、前記データ信号出力部１４０は、前記基準階調線を選択し、前記ユーザが色弱である場合には、前記１以上の補正階調線のうち、前記ユーザの色弱特性情報に対応する補正階調線を選択することができる。
【００４３】
前記駆動モード決定部１２０において、一般駆動モードに決定されれば、前記データ変換部１３０は、前記データを変換しないか、あるいは前記データ受信部１１０で受信した前記データと同一のデータを生成することができる。
【００４４】
一方、前記データ変換部１３０は、前記データを変換するための１以上の補正行列を保存し、前記１以上の補正行列のうち、前記ユーザの色弱特性情報に対応する補正行列を利用して、前記データから、前記補正データを生成することができる。
一方,前記データは、ＲＧＢデータを含んでもよい。また、前記データ変換部１３０は、下記数式を利用して、前記ＲＧＢデータから、補正ＲＧＢデータを生成することができる。
【００４５】
【数７】
0006592312.tif 000008
【００４６】
ここで、Ｘは、補正係数を意味し、Ｔは、補正行列を意味し、Ｒｉ、Ｇｉ、Ｂｉは、前記ＲＧＢデータを意味し、Ｒｏ、Ｇｏ、Ｂｏは、補正ＲＧＢデータを意味する。
【００４７】
前記補正行列Ｔは、前記データ受信部１１０で受信した前記データを変換することにより、認知が弱い色相と、残り色相との差を強調し、色弱者に三色者（正常人）が認知する色相で認知させる。
【００４８】
前記データ変換部１３０で生成された前記補正データは、前記データと異なる値を有し、２５５階調を超える値にもなる。かような場合には、一般的な８ビット駆動方式を使用する表示装置で表示することができる範囲を外れるので、前記補正データ値を一定比率で低下させる必要がある。
前記数学式１においてＸ／２５５項は、前記補正行列Ｔと前記ＲＧＢデータとの積によって生成されたＲＧＢデータ値を、一定比率で低下させる役割を行う。
【００４９】
階調が増加するほど、輝度も共に上昇する階調線の特性上、前記補正ＲＧＢデータ値を低減させれば、本来表示すべき輝度で表示することができなくなるので、低減されたＲＧＢデータに対して、本来表示すべき輝度で表示することができる階調線を利用することができ、そのとき使用される階調線が前記補正階調線である。
【００５０】
前記メモリ部１６０に保存される前記１以上の補正階調線は、互いに異なる最大輝度を有しており、前記データ信号出力部１４０は、前記ユーザの色弱特性情報によって、前記補正階調線のうち、適する補正階調線を選択することができる。
【００５１】
すなわち、赤色弱である第１ユーザ及び第２ユーザのうち、前記第１ユーザの色弱程度が、前記第２ユーザの色弱情報よりさらにはなはだしい場合には、前記第１ユーザに表示される色相の輝度は、前記第２ユーザに表示される色相の輝度よりさらに高く変換されることが望ましい。
【００５２】
一方、前記発光素子１５０は、前記データ信号を受信し、前記データ信号に対応する輝度で発光し、それによって、前記データまたは前記補正データによる映像を表示する。
【００５３】
図２は、本発明の一実施形態による補正行列を示す図面である。
図１及び前記数式１を参照して説明したように、前記データ変換部１３０は、前記補正行列Ｔを利用して、色弱者に、三色者が認知する色相を提供することができる。
【００５４】
前記補正行列Ｔは、Daltonize行列の逆行列でもあるが、前記Daltonize行列は、三色者をして、色弱者が見るところと類似した色相を間接的に体験させるように、三色者が認知する色相を色弱者が認知する色相に変換する機能を実行する。
すなわち、本来の映像の色相データに、Daltonize行列を適用すれば、色弱者が認知するような色相に変換された映像を見ることができる。
【００５５】
図２に図示される補正行列Ｔは、前記Daltonize行列の逆行列であり、左側の行列は、赤色弱に適用される行列であり、右側の行列は、緑色弱に適用される行列である。そして、縦軸は、色弱の程度を示すものであり、０から大きくなるほど、色弱の程度がはなはだしいということを示す。
【００５６】
従って、色弱の程度が０であるということは、三色者である場合を意味し、そのときには、前記補正行列Ｔを利用するとしても、前記データ受信部１１０で受信した前記データが変更されない。そして、色弱の程度が１に近いほど色盲に近いレベルと理解することができる。
【００５７】
前述のように、赤色弱者である場合には、赤色と緑色との区別能が、三色者に比べて劣る。図２に図示される補正行列Ｔにおいて、赤色弱の場合に適用される行列は、赤色弱者にとって、赤色と緑色との区別が容易になされるように、入力されたＲＧＢデータを変更する。
【００５８】
例えば、ＲＧＢデータが、それぞれ１６０、１１０、１００であり、赤色弱であるユーザの色弱程度が０．１であると仮定すれば、適用される補正行列Ｔは、以下の行列のようである。
【００５９】
【数８】
0006592312.tif 000009
【００６０】
この場合、前記補正行列Ｔによって生成される補正ＲＧＢデータは、それぞれ１６８．３２，１０８．３８，１００．１９になる。
【００６１】
【数９】
0006592312.tif 000010
【００６２】
前記ＲＧＢデータにおいて、Ｒ値とＧ値との差は、５０であり、前記補正ＲＧＢデータにおいて、Ｒ値とＧ値との差は、５９．９４である。
一方、ＲＧＢデータが前述のように、１６０，１１０，１００であり、赤色弱者であるユーザの色弱程度が０．２である場合には、下記補正行列Ｔが適用される。
【００６３】
【数１０】
0006592312.tif 000011
【００６４】
このとき、前記補正行列Ｔによって生成される補正ＲＧＢデータは、それぞれ１７８．７９，１０６．５３，１００．２８になる。
【００６５】
【数１１】
0006592312.tif 000012
【００６６】
この場合には、前記補正ＲＧＢデータにおいて、Ｒ値とＧ値との差が７２．２６になる。
【００６７】
赤色弱の程度がはなはだしいほど、赤色と緑色との区別能がさらに劣り、前記補正行列Ｔを介して、赤色と緑色との差をさらに大きくする必要がある。前記例示において、ＲＧＢデータにおいて、Ｒ値とＧ値との差が５０であり、色弱の程度が０．１及び０．２である場合には、前記補正ＲＧＢデータにおいて、Ｒ値とＧ値との差がそれぞれ５９．９４及び７２．２６と大きくなるということが分かる。
従って、赤色弱であるユーザは、前記補正ＲＧＢデータを介して表示される映像では、赤色と緑色とを区別しやすい。
以上は、ＲＧＢデータにおいて、Ｒ値がＧ値より大きい場合を例として説明したが、反対に、Ｇ値がＲ値より大きい場合にも、同一の方法が適用される。
【００６８】
例えば、ＲＧＢデータがそれぞれ１００、１８０、１２０であり、赤色弱であるユーザの色弱程度が０．１であると仮定すれば、適用される補正行列Ｔは、以下の行列のようである。
【００６９】
【数１２】
0006592312.tif 000013
【００７０】
この場合、前記補正行列Ｔによって生成される補正ＲＧＢデータは、それぞれ８３．０４，１８３．９６，１２０になる。
【００７１】
前記ＲＧＢデータにおいて、Ｒ値とＧ値との差が８０であり、前記補正ＲＧＢデータにおいて、Ｒ値とＧ値との差が１００．９２である。従って、前記補正ＲＧＢデータでは、赤色と緑色との色相差が、前記ＲＧＢデータでの赤色と緑色との差よりさらに大きくなるので、赤色弱であるユーザは、そのように生成された補正ＲＧＢデータを介して、表示される映像では、赤色と緑色とを区別しやすい。
【００７２】
一方、図２に図示される補正行列Ｔは、色弱の程度によって異なって適用される複数の行列を例示的に示しており、前記色弱の程度は、図２に例として図示されるところより細分化される。
【００７３】
一方、色弱の程度によって、互いに異なる行列を保存することは、メモリ消耗を増加させるので、図２に図示される補正行列Ｔを、下記のような多項式で表現し、メモリ消耗を減少させる方法が使用される。
【００７４】
【数１３】
0006592312.tif 000014
【００７５】
前記数式２は、図２に図示される補正行列Ｔにおいて、赤色弱の程度が０から６である場合を多項式で表現したものであり、変数ｒは、赤色弱の程度であり、０から６までの値を有することができる。
【００７６】
一方、緑色弱である場合には、下記のような多項式で表現することができ、下記数式３は、図２に図示される補正行列Ｔにおいて、緑色弱の程度が０から５である場合を多項式で表現したものであり、変数ｇは、緑色弱の程度であり、０から５までの値を有することができる。
【００７７】
【数１４】
0006592312.tif 000015
【００７８】
前記データ変換部１３０は、図２を参照して説明したように、色弱の程度に対応する複数の補正行列Ｔを利用して、前記データ受信部１１０で受信した前記ＲＧＢデータを変換することにより、補正ＲＧＢデータを生成することができる。
【００７９】
また、前記数式２及び数式３のような多項式を利用して、前記ＲＧＢデータを変換することにより、複数の補正行列Ｔを保存するのに必要なメモリ消耗を減らすことができる。
図３は、本発明の一実施形態による基準階調線と補正階調線との階調による輝度特性を示すグラフである。
【００８０】
図３を参照すれば、曲線Ａは、基準階調線を示し、曲線Ｂは、補正階調線を示す。図３のグラフの横軸は、階調（gray level）を示し、縦軸は、輝度を示す。
【００８１】
前記基準階調線Ａ及び補正階調線Ｂは、０階調から２５５階調までの階調を表現する場合を示し、最高階調である２５５階調での輝度、すなわち、各階調線の最大輝度は、それぞれ３００ｎｉｔ及び４３２ｎｉｔである。
【００８２】
前記基準階調線Ａは、一般駆動モードで使用される階調線であり、ユーザが三色者（正常人）である場合に使用される階調線であると理解される。また、前記補正階調線Ｂは、色弱補正駆動モードで使用される階調線であり、ユーザが色弱である場合に使用される階調線であると理解される。
【００８３】
図３には、前記補正階調線Ｂの最大輝度が４３２ｎｉｔと図示されているが、それは、発明の説明のために例示的に図示されたものであり、前記補正階調線Ｂの最大輝度は色、弱の程度によって異なる値を有することができる。
【００８４】
また、前記基準階調線Ａの最大輝度が３００ｎｉｔと図示されているが、必要によって、前記基準階調線Ａの最大輝度は、３００ｎｉｔではない異なる値を有することができる。
【００８５】
本明細書では、図３を参照し、前記輝度補正部１４０の動作について説明し、前述のように、前記基準階調線Ａは、一般駆動モードで使用され、前記補正階調線Ｂは、色弱補正駆動モードで使用されると説明する。
【００８６】
前記補正階調線Ｂの最大輝度は、色弱の程度によって異なる値を有し、前述のように、色弱の程度がはなはだしいほど、前記補正階調線Ｂは、さらに高い値の最大輝度を有する。
図３に図示される補正階調線Ｂの最大輝度は、約４３２ｎｉｔであり、前記補正階調線Ｂは、色弱の程度が０．１である場合に適用される階調線である。
【００８７】
前記補正階調線Ｂの最大輝度は、前記基準階調線Ａの最大輝度に、色弱補正度値を乗じて求めることができるが、前記色弱補正度値は、Ｒ値に対する最大補正値と同じであり、前記Ｒ値に対する最大補正値は、入力されたＲＧＢデータに対応する変更されたＲＧＢデータを比較し、その変更された比率が最大の値に決定される。
【００８８】
図２を参照して説明したように、赤色弱であるユーザに対して、補正行列Ｔを適用してＲＧＢデータを変換することにより、生成される補正ＲＧＢデータでは、Ｒ値とＧ値との差がさらに大きくなる。
従って、前記ＲＧＢデータの値によって、前記補正ＲＧＢデータは、表示可能な最大階調である２５５を超える値を有する場合がある。
【００８９】
例えば、ＲＧＢデータが、２５５，１８０，１００であり、赤色弱であるユーザの色弱の程度が０．１である場合には、補正ＲＧＢデータとして、２６４．３６，１８２．３４，１００．５４５が生成され、Ｒ値とＧ値との差がさらに大きくなり、前記ユーザをして、赤色と緑色との区別をさらに容易に行わせる。
【００９０】
しかし、前記補正ＲＧＢデータのＲ値が２６４．３６と２５５を超えるので、前記補正ＲＧＢデータのＲ値を２５５以下の値に補正するための補正係数が必要である。
【００９１】
前記数式１でＸは、前記補正係数を意味し、同時に前記補正係数Ｘは、補正階調線Ｂにおいて、基準階調線Ａの最大輝度値を有する階調値を意味し、下記数式４を介して求められる。
【００９２】
【数１５】
0006592312.tif 000016
【００９３】
ここで、Ｌｅｘｔは、前記基準階調線の最大輝度値を意味し、Ｌｍａｘは、前記補正階調線の最大輝度値を意味する。また、γは、ガンマ値であり、本明細書では、γ＝２．２である場合を例として挙げて説明する。
【００９４】
図３において、前記基準階調線Ａと補正階調線Ｂとの最大輝度値は、それぞれ３００ｎｉｔ及び４３２ｎｉｔであり、γ＝２．２であるので、Ｘは、約２１６になり、前記補正階調線Ｂにおいて２１６階調に適用される輝度は、３００ｎｉｔになると理解することができる。
【００９５】
前述の例として挙げた補正ＲＧＢデータである２６４．３６，１８２．３４及び１００．５５を、前記数式１に代入すれば、前記データ変換部１３０を介して、最終的に生成される補正ＲＧＢデータは、２２３．９８，１５４．４９及び８５．１９になる。
【００９６】
前記補正ＲＧＢデータ（２２３．９８，１５４．４９，８５．１９）は、最初入力されたＲＧＢデータ（２５５，１８０，１００）より小さな値を有し、階調値が上昇するによって、輝度値も共に上昇する階調線の特性上、前記補正ＲＧＢデータ（２２３．９８，１５４．４９，８５．１９）を利用すれば、本来表示しようとした輝度、すなわち、前記補正行列Ｔを介して変換されたＲＧＢデータに対応する輝度で色相を表示することができない。
【００９７】
従って、前記データ信号出力部１４０は、補正ＲＧＢデータを利用したとしても、本来表示しようとした輝度の色相を表示するように、前記メモリ部１６０から色弱程度に対応する補正階調線を選択し、前記補正ＲＧＢデータに適用することができる。
前記補正ＲＧＢデータに、図３に図示されるような補正階調線Ｂを適用すれば、輝度低下なしに、色弱者が認知することができる色相を表示することができる。
【００９８】
液晶表示装置のように、固定された最大輝度を有するバックライトを利用して、輝度を調節する表示装置の場合には、認知が弱い色相を除いた残りの色相の輝度を低くする方法を利用することにより、相対的に認知が弱い色相を強調する方法を採るので、表示画面が全体的に暗くなるという問題がある。
【００９９】
本発明の一実施形態による表示装置１００は、有機発光表示装置（ＯＬＥＤ）のような自発光型素子を利用する表示装置において、変換されたＲＧＢデータに適用される輝度を柔軟に選択させることにより、輝度低下なしに、色弱者にとって三色者が認知するところと同一に色相を認知させる効果を提供する。
【０１００】
図４は、本発明の一実施形態による表示制御装置の構成を概略的に示す図面である。
図４を参照すれば、本発明の一実施形態による表示制御装置２００は、データ保存部２１０、駆動モード決定部２２０、補正データ出力部２３０及び階調線選択信号出力部２４０を含む。
前記データ保存部２１０は、表示される映像のデータを保存し、前記データは、ＲＧＢデータを含んでもよい。また、前記ＲＧＢデータは、ＲＧＢ色座標でもある。
すなわち、前記データ保存部２１０は、表示される映像の原本データを保存すると理解される。
【０１０１】
前記駆動モード決定部２２０は、ユーザの色弱特性情報を受信し、前記ユーザの色弱特性情報に対応し、一般駆動モードまたは色弱補正駆動モードのうちいずれか一つに駆動モードを決定する。
【０１０２】
従って、前記駆動モード決定部２２０は、前記ユーザの色弱特性情報によって、前記ユーザが三色者（正常人）である場合には、一般駆動モードに駆動モードを決定し、前記ユーザが色弱者である場合には、色弱補正駆動モードに駆動モードを決定することができる。
【０１０３】
前記補正データ出力部２３０は、前記ユーザの色弱特性情報に対応し、前記データを変換して補正データを生成し、前記補正ＲＧＢデータを出力する機能を行う。
【０１０４】
また、前記階調線選択信号出力部２４０は、前記一般駆動モードで使用される基準階調線、及び前記色弱補正駆動モードで使用される１以上の補正階調線のうち、前記ユーザの色弱特性情報に対応する階調線を選択させる階調線選択信号を出力する。
【０１０５】
前記表示制御装置２００は、前記表示制御装置２００と別途に具備される表示装置を制御する機能を遂行することができ、特に、色弱であるユーザのための色弱補正駆動モードでは、前記ユーザの色弱特性情報によって保存されたデータを変換することにより、前記ユーザをして、三色者（正常人）が認知するところと同一の色相を認知させる効果を提供する。
【０１０６】
かような効果を提供するために、前記表示制御装置２００の補正データ出力部２３０は、前記ユーザの色弱特性情報に対応し、保存されたデータを変換して補正データを出力することを特徴とする。
【０１０７】
前記補正データは、前記データと補正行列との演算によって生成され、前記補正行列は、図２を参照して説明したようなDaltonize行列の逆行列でもある。
【０１０８】
また、前記ユーザの色弱特性情報、すなわち、前記ユーザが赤色弱であるか緑色弱であるかということ、及び色弱の程度によって、互いに異なる補正行列が使用されることが望ましい。
【０１０９】
従って、前記補正データ出力部２３０は、前記データを変換するための複数の補正行列を保存し、前記複数の補正行列のうち、前記ユーザの色弱特性情報に対応する補正行列を利用して、前記データから、前記補正データを生成することができる。
また、前記補正データ出力部２３０は、前記複数の補正行列を保存するための別途の保存部をさらに含んでもよい。
【０１１０】
前記階調線選択信号出力部２４０で出力される前記階調線選択信号は、前記表示制御装置２００で出力される信号を受信して映像を表示することができる表示装置で認識することができる信号でもある。
【０１１１】
前記表示装置は、一般駆動モードで使用される基準階調線、及び色弱補正駆動モードで使用される１以上の補正階調線を保存することができる。また、前記表示装置は、前記階調線選択信号を受信し、前記基準階調線、または前記１以上の補正階調線のうち、前記ユーザの色弱特性情報に対応する階調線を選択することができる。
【０１１２】
また、前記表示装置は、前記表示制御装置２００から前記補正データを受信し、前記階調線選択信号によって選択された階調線に基づいて、前記補正データに対応する映像を表示することができる。
【０１１３】
従って、前記表示制御装置２００は、データを利用して、それに対応する映像を表示することができる表示装置で受信して認識することができる補正データ及び階調線選択信号を出力することを特徴とする。
図５は、本発明の他の実施形態による表示装置の構成を概略的に示す図面である。
図５を参照すれば、本発明の他の実施形態による表示装置４００は、図４を参照して説明したような表示制御装置２００及び表示パネル３００を含む。
【０１１４】
前記表示パネル３００は、前記表示制御装置２００から、補正データ及び階調線選択信号を受信し、前記階調線選択信号によって、前記補正データに対応する映像を表示する。
また、前記表示パネル３００は、メモリ部３１０、データ信号出力部３２０及び発光素子３３０を含む。
前記メモリ部３１０は、一般駆動モードで使用される基準階調線、及び色弱補正駆動モードで使用される１以上の補正階調線を保存する。
【０１１５】
図４を参照して説明したように、前記表示制御装置２００は、ユーザの色弱特性情報を受信し、前記ユーザの色弱特性情報に対応し、一般駆動モードまたは色弱補正駆動モードのうちいずれか一つに駆動モードを決定する駆動モード決定部を含む。
【０１１６】
前記一般駆動モードまたは前記色弱補正駆動モードのうちいずれか一つに駆動モードが決定されれば、決定された駆動モードによって使用される階調線が変わり、前記メモリ部３１０は、一般駆動モードまたは色弱補正駆動モードに対応する基準階調線、または１以上の補正階調線を保存することを特徴とする。
【０１１７】
前記データ信号出力部３２０は、前記基準階調線、または前記１以上の補正階調線のうち、前記選択された階調線に基づいて、前記補正データに対応するデータ信号を出力する。
また、前記発光素子３３０は、前記データ信号を受信し、前記データ信号に対応する輝度で発光する。
【０１１８】
前記表示制御装置２００では、補正データ及び階調線選択信号が出力され、前記表示パネル３００は、前記補正データ及び階調線選択信号を受信する。
【０１１９】
前記補正データは、前記ユーザの色弱特性情報によって表示される映像のデータから変換されたデータであり、前記補正データは、図２を参照して説明したように、前記ユーザの色弱特性情報に対応する補正行列、または前記補正行列に対応する多項式によって生成される。
【０１２０】
また、前記階調線選択信号は、前記基準階調線、及び前記１以上の補正階調線のうち、前記ユーザの色弱特性情報に対応する階調線を選択させる信号であり、前記補正データ及び前記階調線選択信号は、共通して前記ユーザの色弱特性情報に対応する。
【０１２１】
前記補正データと前記階調線選択信号は、同一の色弱特性情報によって生成されるために、前記表示パネル３００は、前記階調線選択信号によって選択された階調線に基づいて、前記補正データに対応するデータ信号を出力することにより、色弱補正駆動モードにおいて、色弱であるユーザをして、三色者（正常人）が認知する色相と同一の色相を認知させる。
図６は、本発明のさらに他の実施形態による表示装置の構成を概略的に示す図面である。
【０１２２】
図６を参照すれば、本発明のさらに他の実施形態による表示装置５００は、データ受信部５１０、補正行列保存部５２０、補正データ生成部５３０、データ信号出力部５４０及び発光素子５５０を含む。
前記データ受信部５１０は、表示される映像のデータを受信し、前記データは、ＲＧＢデータを含んでもよい。また、前記データは、ＲＧＢ色座標でもある。
また、前記データは、表示される映像の原本映像データであると理解される。
【０１２３】
前記補正行列保存部５２０は、Daltonize行列の逆行列を基に決定された複数の補正行列を保存する。前記Daltonize行列は、三色者（正常人）をして、色弱者が見るところと類似の色相を間接的に体験させるように、三色者が認知する色相を、色弱者が認知する色相に変換する機能を行う。
従って、前記補正行列は、色弱者をして、三色者が見るところと類似の色相を認知させる変換されたデータを生成する。
【０１２４】
前記補正データ生成部５３０は、ユーザの色弱特性情報を受信し、前記複数の補正行列のうち、前記ユーザの色弱特性情報に対応して選択された補正行列を利用して、前記データを変換することにより、補正データを生成する。
【０１２５】
前記色弱特性情報は、赤色弱であるか緑色弱であるかということ、及び色弱の程度に係わる情報を含み、前記補正データ生成部５３０は、かような色弱特性情報に対応して補正行列を選択し、選択された補正行列によって、前記データを変換することにより、補正データを生成することができる。
【０１２６】
前記データ信号出力部５４０は、高輝度モード階調線を利用して、前記補正データに対応するデータ信号を出力し、前記発光素子５５０は、前記データ信号を受信し、前記データ信号に対応する輝度で発光して映像を表示する。
図７は、本発明のさらに他の実施形態による表示装置で使用される高輝度モード階調線を示すグラフである。
【０１２７】
図７を参照すれば、前記表示装置５００で使用される高輝度モード階調線Ｃは、０階調から２５５階調までの範囲において、最大５００ｎｉｔまで表示することができる階調線であり、前記高輝度モード階調線Ｃは、色弱程度が０．１４２である場合に適用される階調線である。
【０１２８】
前述の図１ないし図５を参照して説明した表示装置１００，４００及び表示制御装置２００は、ユーザの色弱特性情報に対応する複数の補正階調線を利用する一方、前記表示装置５００では、前記高輝度モード階調線Ｃのみを利用することを特徴とする。
従って、図７に図示されているような高輝度モード階調線Ｃを利用する場合には、色弱程度が０．１４２以下のユーザに対して使用される。
【０１２９】
また、色弱程度によって、互いに異なる階調線を適用することができないから、前記高輝度モード階調線Ｃにおいて、色弱程度によって使用する階調の範囲を異ならせ、前記補正データに対応するデータ信号を出力することができる。
【０１３０】
一方、前記高輝度補正階調線Ｃにおいて、Ｘ階調は、３００ｎｉｔの輝度を示す階調であり、本発明の一実施形態１００及び他の実施形態による表示装置４００で使用される基準階調線Ａの最大輝度に対応する階調を示す。
【０１３１】
従って、前記表示装置５００は、前記ユーザの色弱特性情報によって、前記ユーザが三色者と判断された場合には、０階調からＸ階調までの範囲内で、前記補正ＲＧＢデータに対応するデータ信号を出力する。
図７では、前記Ｘ階調を、３００ｎｉｔの輝度に対応する階調に図示しているが、前記Ｘ階調は、必ずしもそれに限定されるものではない。
前記Ｘ階調は、下記数式を利用して算出される。
【０１３２】
【数１６】
0006592312.tif 000017
【０１３３】
ここで、Ｌｅｘｔは、前記色弱特性情報による最大輝度値を意味し、Ｌｍａｘは、前記高輝度モード階調線の最大輝度値を意味する。また、γは、ガンマ値であり、本明細書では、γ＝２．２である場合を例として挙げて説明する。
【０１３４】
図７を参照すれば、前記色弱特性情報による最大輝度値が３００ｎｉｔであり、前記高輝度モード階調線の最大輝度値が５００ｎｉｔであるので、前記階調Ｘは、約２０２になる。
【０１３５】
従って、前記ユーザが三色者である場合には、前記データ信号出力部５４０は、０階調から２０２階調までの範囲内で、前記補正データに対応するデータ信号を出力する。
一方、前記補正データ生成部は、下記数式を利用して、ＲＧＢデータを変換することができる。
【０１３６】
【数１７】
0006592312.tif 000018
【０１３７】
ここで、Ｘは、補正係数を意味し、Ｔは、前記色弱特性情報によるDaltonize行列の逆行列を意味し、Ｒｉ、Ｇｉ、Ｂｉは、前記ＲＧＢデータを意味し、Ｒｏ、Ｇｏ、Ｂｏは、補正ＲＧＢデータを意味する。
【０１３８】
前記Daltonize行列の逆行列は、前記補正行列保存部５２０に保存される補正行列であり、前記ユーザの色弱特性情報に対応して選択され、前記ＲＧＢデータを変換することができる。
【０１３９】
また、前記補正係数Ｘは、前記高輝度モード階調線Ｃにおいて、前記色弱特性情報による最大輝度値を有する階調であり、前記数式５を利用して算出される階調Ｘと同一の値を有する。
【０１４０】
従って、前記ユーザが三色者である場合には、前記Ｘが２０２であり、前記ユーザの色弱特性情報によって選択される補正行列は、単位行列になるので、前記補正行列によって変換されるＲＧＢデータは、前記ＲＧＢデータと同一の値を有する。
それにより、このとき、前記補正データ生成部５３０で生成される補正ＲＧＢデータは、前記ＲＧＢデータに、２０２／２５５を乗じた値になる。
【０１４１】
８ビット駆動表示装置で表示することができる最大階調が２５５であるので、前記補正ＲＧＢデータの最大値は、２０２を過ぎることはなく、前記データ信号出力部５４０は、０階調から２０２階調までの範囲において、前記補正ＲＧＢデータに対応するデータ信号を出力する。
一方、前記ユーザが色弱者であり、色弱程度が０．１該当するならば、図３を参照して説明したように、前記階調Ｘは、約２３９になる。
【０１４２】
かような場合、前記補正データ生成部５３０は、図２を参照して説明したように、色弱程度０．１に対応する行列を補正行列として選択し、前記数式６によって補正ＲＧＢデータを生成することができる。
そのとき、前記データ信号出力部５４０は、０階調から２３９階調までの範囲において、前記補正ＲＧＢデータに対応するデータ信号を出力する。
【０１４３】
図８は、本発明の一実施形態による表示方法を示すフローチャートである。
図８を参照すれば、本発明の一実施形態による表示方法は、データ準備段階（Ｓ１１０）、駆動モード決定段階（Ｓ１２０）、補正データ生成段階（Ｓ１３０）、データ信号出力段階（Ｓ１４０）及び映像表示段階（Ｓ１５０）を含む。
【０１４４】
前記データ準備段階（Ｓ１１０）は、表示される映像のデータを準備する段階であり、特定映像を表示するための原本データを受信するか、または保存されているデータを活用することができる状態に転換する段階でもある。
【０１４５】
前記駆動モード決定段階（Ｓ１２０）では、ユーザの色弱特性情報を受信し、前記ユーザの色弱特性情報に対応し、一般駆動モードまたは色弱補正駆動モードのうちいずれか一つに駆動モードを決定する。
【０１４６】
また、前記補正データ生成段階（Ｓ１３０）では、前記駆動モード決定段階（Ｓ１２０）において、色弱補正駆動モードに決定される場合、前記ユーザの色弱特性情報に対応し、前記データを変換して補正データを生成する。
【０１４７】
前記データ信号出力段階（Ｓ１４０）では、前記一般駆動モードで使用される基準階調線と、前記色弱補正駆動モードで使用される１以上の補正階調線とを含む複数の階調線のうち、前記ユーザの色弱特性情報に対応する１つの階調線を選択し、前記選択された階調線に基づいて、前記データまたは前記補正データに対応するデータ信号を出力する。
【０１４８】
前記駆動モード決定段階（Ｓ１２０）において、色弱補正駆動モードに決定される場合には、前述のように、前記ユーザの色弱特性情報に対応する補正行列を利用して、前記データから補正データが生成される。
【０１４９】
反対に、前記駆動モード決定段階（Ｓ１２０）において、一般駆動モードに決定される場合には、前記データをそのまま利用すればよいので、前記補正データ生成段階（Ｓ１３０）は、省略され、すぐに前記データ信号出力段階（Ｓ１４０）において、前記基準階調線に基づいて、前記データに対応するデータ信号を出力することができる。
最後に、前記映像表示段階（Ｓ１５０）では、前記データ信号に対応する輝度で発光する発光素子を利用して、一般映像色弱用映像を表示する。
【０１５０】
従って、一般駆動モードに決定される場合には、前記データと、基準階調線を基に出力されるデータ信号とに対応する一般映像が表示され、色弱補正駆動モードに決定される場合には、前記補正データ、及び前記ユーザの色弱特性情報に対応する補正階調線を基に出力されるデータ信号に対応する色弱用映像が表示される。
【０１５１】
本明細書では、本発明について、限定された実施形態を中心に説明したが、本発明の範囲内で、多様な実施形態が可能である。また、説明されていないが、均等な手段も、また本発明にそのまま結合されるものといえる。従って、本発明の真の保護範囲は、特許請求の範囲によって定められるものである。
【産業上の利用可能性】
【０１５２】
本発明の表示装置、表示制御装置及び表示方法は、例えば、色弱表示関連の技術分野に効果的に適用可能である。
【符号の説明】
【０１５３】
１００，４００，５００    表示装置
１１０，５１０    データ受信部
１２０，２２０    駆動モード決定部
１３０    データ変換部
１４０，３２０，５４０    データ信号出力部
１５０，３３０，５５０    発光素子
１６０，３１０    メモリ部
２００    表示制御装置
２１０    データ保存部
２３０    補正データ出力部
２４０    階調線選択信号出力部
３００    表示パネル
５２０    補正行列保存部
５３０    補正データ生成部
【図１】
0006592312.tif 000025
【図２】
0006592312.tif 000026
【図３】
0006592312.tif 000027
【図４】
0006592312.tif 000028
【図５】
0006592312.tif 000029
【図６】
0006592312.tif 000030
【図７】
0006592312.tif 000031
【図８】
0006592312.tif 000032